【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
放射線コリメータアセンブリであって、
放射線源と、
その回転軸を中心として回転可能なコリメータホイールと
を備え、
前記コリメータホイールは、複数のコリメータチャネルを有し、前記複数のコリメータチャネルは、少なくとも、
前記コリメータホイール内に画定された第１のコリメータチャネルと、
前記コリメータホイール内に画定された第２のコリメータチャネルと
を含み、
前記第１および第２のコリメータチャネルのそれぞれは、前記コリメータホイールの前記回転軸と垂直である方向において縦方向に延在する、放射線コリメータアセンブリ。
【請求項２】
前記第１および第２のコリメータチャネルのそれぞれは、前記回転軸が延在する前記コリメータホイールの中心を通して通過する、請求項１に記載の放射線コリメータアセンブリ。
【請求項３】
前記第１および第２のコリメータチャネルは、異なるサイズおよび／または形状である、前記請求項のいずれかに記載の放射線コリメータアセンブリ。
【請求項４】
前記複数のコリメータチャネルは、前記コリメータホイールに沿って規則的間隔で分散されている、前記請求項のいずれかに記載の放射線コリメータアセンブリ。
【請求項５】
前記複数のコリメータチャネルは、３つ以上のコリメータチャネルを備える、前記請求項のいずれかに記載の放射線コリメータアセンブリ。
【請求項６】
前記第１および第２のコリメータチャネルは、前記コリメータホイールを回転移動させ、前記第１および第２のコリメータチャネルのうちの１つを前記放射線源と整合させることによって、選択可能である、前記請求項のいずれかに記載の放射線コリメータアセンブリ。
【請求項７】
前記コリメータホイールを前記回転軸を中心として回転させるように、前記コリメータホイールと動作可能に結合されている、モータと、
前記モータと動作可能に結合され、選択されたコリメータチャネルの前記放射線源との整合に対応するコリメータ位置への前記コリメータホイールの回転を制御する、制御ユニットと
をさらに備える、前記請求項のいずれかに記載の放射線コリメータアセンブリ。
【請求項８】
前記制御ユニットは、前記コリメータ位置を検出するように構成された１つ以上のセンサと通信可能に結合されている、請求項７に記載の放射線コリメータアセンブリ。
【請求項９】
前記１つ以上のセンサは、１つ以上のエンコーダ読取機を備え、前記コリメータホイールは、前記複数のコリメータチャネルの整合に対応して位置付けられた複数のマーカを含む、請求項８に記載の放射線コリメータアセンブリ。
【請求項１０】
放射線治療システムであって、
請求項１に記載の放射線コリメータアセンブリであって、前記コリメータアセンブリは、放射線ビームを前記放射線源から前記コリメータホイールの１つ以上の選択されたコリメータチャネルを通して患者内の標的に送達するように構成されている、前記コリメータアセンブリと、
前記コリメータホイールを前記回転軸を中心として回転させるように、前記コリメータホイールと動作可能に結合されている、モータと、
前記モータと動作可能に結合され、１つ以上の選択されたコリメータチャネルの前記放射線源との整合に対応する位置への前記コリメータホイールの回転を制御する、制御ユニットと
を備える、放射線治療システム。
【請求項１１】
前記制御ユニットは、前記コリメータホイールを回転させ、前記複数のコリメータチャネルの１つ以上の選択されたコリメータチャネルを前記放射線源と整合させるように構成され、前記１つ以上の選択されたコリメータチャネルは、１つ以上の所望の療法ビームに対応する、請求項１０に記載の放射線治療システム。
【請求項１２】
非整合コリメータチャネルを含む前記放射線源に面した前記コリメータホイールの少なくとも一部を実質的に囲繞し、非整合コリメータチャネルを通した放射線の通過を阻止する一方、前記選択された整合されたコリメータチャネルを通した粒子ビームの通過を可能にする、コリメータ遮蔽体をさらに備える、請求項１０または１１に記載の放射線治療システム。
【請求項１３】
治療の間、患者を監視するための１つ以上の撮像デバイスをさらに備える、請求項１０−１２のいずれかに記載の放射線治療システム。
【請求項１４】
前記選択されたコリメータチャネルの前記放射線源との整合を監視または検証するように構成された光学ビーム整合特徴をさらに備える、請求項１０−１３のいずれかに記載の放射線治療システム。
【請求項１５】
コリメータであって、
それを中心とした枢動特徴を有するコリメータ本体であって、前記コリメータ本体は、枢動軸を中心として回転可能である、コリメータ本体と、
前記コリメータ本体を通して延在する複数のコリメータチャネルと
を備え、
前記複数のコリメータチャネルのそれぞれは、それを中心として前記コリメータ本体が旋回される前記枢動軸と垂直である方向において縦方向に延在する、コリメータ。
【請求項１６】
前記複数のコリメータチャネルのそれぞれは、前記枢動軸と交差する、請求項１５に記載のコリメータ。
【手続補正２】
【補正対象書類名】明細書
【補正対象項目名】００１６
【補正方法】変更
【補正の内容】
【００１６】
本発明の種々の側面および詳細は、図および下記に提供される説明に描写される例示的実施形態を参照することによってさらに理解され得る。
本願明細書は、例えば、以下の項目も提供する。
（項目１）
放射線コリメータアセンブリであって、
放射線源と、
その回転軸を中心として回転可能なコリメータホイールと
を備え、
前記コリメータホイールは、複数のコリメータチャネルを有し、前記複数のコリメータチャネルは、少なくとも、
前記コリメータホイール内に画定された第１のコリメータチャネルと、
前記コリメータホイール内に画定された第２のコリメータチャネルと
を含み、
前記第１および第２のコリメータチャネルは、前記コリメータホイールの前記回転軸と略垂直に配列されている、放射線コリメータアセンブリ。
（項目２）
前記第１および第２のコリメータチャネルのそれぞれは、前記回転軸が延在する前記コリメータホイールの中心を通して通過する、項目１に記載の放射線コリメータアセンブリ。
（項目３）
前記第１および第２のコリメータチャネルは、異なるサイズおよび／または形状である、前記項目のいずれかに記載の放射線コリメータアセンブリ。
（項目４）
前記複数のコリメータチャネルは、前記コリメータホイールに沿って規則的間隔で分散されている、前記項目のいずれかに記載の放射線コリメータアセンブリ。
（項目５）
前記複数のコリメータチャネルは、３つ以上のコリメータチャネルを備える、前記項目のいずれかに記載の放射線コリメータアセンブリ。
（項目６）
前記第１および第２のコリメータチャネルは、前記コリメータホイールを回転移動させ、前記第１および第２のコリメータチャネルのうちの１つを前記放射線源と整合させることによって、選択可能である、前記項目のいずれかに記載の放射線コリメータアセンブリ。
（項目７）
前記コリメータホイールを前記回転軸を中心として回転させるように、前記コリメータホイールと動作可能に結合されている、モータと、
前記モータと動作可能に結合され、選択されたコリメータチャネルの前記放射線源との整合に対応するコリメータ位置への前記コリメータホイールの回転を制御する、制御ユニットと
をさらに備える、前記項目のいずれかに記載の放射線コリメータアセンブリ。
（項目８）
前記制御ユニットは、前記コリメータ位置を検出するように構成された１つ以上のセンサと通信可能に結合されている、項目７に記載の放射線コリメータアセンブリ。
（項目９）
前記１つ以上のセンサは、１つ以上のエンコーダ読取機を備え、前記コリメータホイールは、前記複数のコリメータチャネルの整合に対応して位置付けられた複数のマーカを含む、項目８に記載の放射線コリメータアセンブリ。
（項目１０）
放射線治療システムであって、
項目１に記載の放射線コリメータアセンブリであって、前記コリメータアセンブリは、放射線ビームを前記放射線源から前記コリメータホイールの１つ以上の選択されたコリメータチャネルを通して患者内の標的に送達するように構成されている、前記コリメータアセンブリと、
前記コリメータホイールを前記回転軸を中心として回転させるように、前記コリメータホイールと動作可能に結合されている、モータと、
前記モータと動作可能に結合され、１つ以上の選択されたコリメータチャネルの前記放射線源との整合に対応する位置への前記コリメータホイールの回転を制御する、制御ユニットと
を備える、放射線治療システム。
（項目１１）
前記制御ユニットは、前記コリメータホイールを回転させ、前記複数のコリメータチャネルの１つ以上の選択されたコリメータチャネルを前記放射線源と整合させるように構成され、前記１つ以上の選択されたコリメータチャネルは、１つ以上の所望の療法ビームに対応する、項目１０に記載の放射線治療システム。
（項目１２）
非整合コリメータチャネルを含む前記放射線源に面した前記コリメータホイールの少なくとも一部を実質的に囲繞し、非整合コリメータチャネルを通した放射線の通過を阻止する一方、前記選択された整合されたコリメータチャネルを通した粒子ビームの通過を可能にする、コリメータ遮蔽体をさらに備える、項目１０または１１に記載の放射線治療システム。
（項目１３）
治療の間、患者を監視するための１つ以上の撮像デバイスをさらに備える、項目１０−１２のいずれかに記載の放射線治療システム。
（項目１４）
前記選択されたコリメータチャネルの前記放射線源との整合を監視または検証するように構成された光学ビーム整合特徴をさらに備える、項目１０−１３のいずれかに記載の放射線治療システム。
（項目１５）
コリメータであって、
それを中心とした枢動特徴を有するコリメータ本体であって、前記コリメータ本体は、枢動軸を中心として回転可能である、コリメータ本体と、
前記コリメータ本体を通して延在する複数のコリメータチャネルと
を備え、
前記複数のコリメータチャネルのそれぞれは、それを中心として前記コリメータ本体が旋回される、前記枢動軸と略垂直である、コリメータ。
（項目１６）
前記複数のコリメータチャネルのそれぞれは、前記枢動軸と交差する、項目１５に記載のコリメータ。
（項目１７）
治療システムの放射線源からの放射線ビームを用いて患者を治療する方法であって、前記方法は、
第１のコリメータチャネルをコリメータ本体内の複数のコリメータチャネルから選択することであって、前記選択された第１のコリメータチャネルは、所望の第１の療法ビームに対応し、前記コリメータ本体は、前記コリメータ本体の回転軸に沿って前記治療システム内で回転可能であり、前記複数のコリメータチャネルは、サイズおよび／または形状で異なり、前記回転軸と略垂直に延在する、ことと、
前記選択された第１のコリメータチャネルが前記放射線源と整合されるまで、前記コリメータ本体をその前記回転軸に沿って回転させることと、
前記所望の第１の療法ビームを前記患者内の標的に指向するように、第１の粒子ビームを前記放射線源から前記選択された第１のコリメータチャネルを通して伝送することと
を含む、方法。
（項目１８）
第２のコリメータチャネルを前記コリメータ本体内の前記複数のコリメータチャネルから選択することであって、前記選択された第２のコリメータチャネルは、サイズおよび／または形状で前記第１の療法ビームと異なる所望の第２の療法ビームに対応する、ことと、
前記選択された第２のコリメータチャネルが前記放射線源と整合されるまで、前記コリメータ本体を前記回転軸に沿って回転させることと、
前記所望の第２の療法ビームを前記患者内の前記標的に指向するように、第２の粒子ビームを前記放射線源から前記選択された第２のコリメータチャネルを通して伝送することと
をさらに含む、項目１７に記載の方法。
（項目１９）
前記選択された第１のコリメータチャネルが整合されるまで、前記コリメータ本体を回転させることは、前記システムの制御ユニットのセンサが、前記第１のコリメータチャネルの整合に対応するコリメータ位置を示す、前記コリメータ本体上に配置されるマーカを検出するまで、前記コリメータ本体を回転させることを含む、項目１７または１８に記載の方法。
（項目２０）
レーザ光ビームを前記コリメータチャネルを通して伝送することによって、前記第１のコリメータチャネルの前記放射線源との整合を検証し、前記第１のコリメータチャネルの出口開口から放出される前記レーザ光ビームを検出することをさらに含む、項目１７−１９のいずれかに記載の方法。